(57)【要約】【課題】製品のバージョンが多数になっても、ファームウエアバージョンがひとつですむため、管理工数が非常に少なくなるという効果が得られるようにする。【解決手段】ファームウエアバージョンを書き込み可能な、特定のプライベートＭＩＢオブジェクトを有し、特定のプライベートＭＩＢオブジェクトにファームウエアバージョンを書き込むと、標準ＭＩＢがファームウエアバージョンに対応した値に変化する手段を有する。【選択図】        図１
2005004327.tif 000002
【特許請求の範囲】
【請求項１】
ファームウエアバージョンを書き込み可能な、特定のプライベートＭＩＢオブジェクトを有し、特定のプライベートＭＩＢオブジェクトにファームウエアバージョンを書き込むと、標準ＭＩＢがファームウエアバージョンに対応した値に変化する手段を有することを特徴とするネットワークデバイス制御システム。
【請求項２】
ファームウエアバージョンを書き込み可能な、特定のデータを有し、特定のデータにファームウエアバージョンを書き込むと、標準ＭＩＢがファームウエアバージョンに対応した値に変化する手段を有することを特徴とするネットワークデバイス制御システム。
【請求項３】
ファームウエアバージョンを書き込み可能な、特定のプライベートＭＩＢオブジェクトを有し、特定のプライベートＭＩＢオブジェクトにファームウエアバージョンを書き込むと、プライベートＭＩＢがファームウエアバージョンに対応した値に変化する手段を有することを特徴とするネットワークデバイス制御システム。
【請求項４】
ファームウエアバージョンを書き込み可能な、特定のデータを有し、特定のデータにファームウエアバージョンを書き込むと、プライベートＭＩＢがファームウエアバージョンに対応した値に変化する手段を有することを特徴とするネットワークデバイス制御システム。
【請求項５】
請求項１〜４のネットワークシステムにおいて、ファームウエアバージョンの代わりに、特定ユーザ名を書き込むことにより、特定ユーザに対応した値に、ＭＩＢが変化する手段を有することを特徴とするネットワークデバイス制御システム。
【発明の詳細な説明】
【０００１】
【発明の属する技術分野】
本発明はネットワークデバイス制御システムに関するものである。
【０００２】
【従来の技術】
従来、ネットワークデバイス制御システムにおいて、ＭＩＢオブジェクトに少しでも変更がある場合、別バージョンのファームウエアが必要であった。従って、ネットワークデバイスは、ファームウェアのバージョンアップが可能であった（例えば、特許文献１）。
【０００３】
【特許文献１】
特開平０７−０７３０４２号公報
【０００４】
【発明が解決しようとする課題】
しかしながら、従来の技術では、ファームウエアバージョンが多数になると、多数のバージョンのファームウエアを管理する必要があり、その管理工数が多大になるという欠点があった。
【０００５】
【課題を解決するための手段】
本発明では前記課題を解決するために、ファームウエアバージョンを書き込み可能な、特定のプライベートＭＩＢオブジェクトを有し、特定のプライベートＭＩＢオブジェクトにファームウエアバージョンを書き込むと、標準ＭＩＢがファームウエアバージョンに対応した値に変化する手段を有する。
【０００６】
【発明の実施の形態】
（第１の実施例）
以下図を参照しながら本発明の実施例について説明する。
【０００７】
図１は本発明におけるネットワークデバイス制御システムの第１の実施例のブロック図である。
【０００８】
図１において、１０１はコンピュータ、１０２はコンピュータの表示部、１０３はコンピュータの制御をおこなうＣＰＵ、１０４はコンピュータの制御プログラム、データを格納する記憶装置、１０５はコンピュータの通信インタフェース部、１０６はコンピュータ−プリンタ間のネットワーク、１０７はネットワークデバイス、１０８はネットワークデバイスの操作パネル部、１０９はネットワークデバイスの制御をおこなうＣＰＵ、１１０はネットワークデバイスの制御プログラム、データを格納する記憶装置、１１１はネットワークデバイスの通信インタフェース部である。
【０００９】
図２は本発明の第１の実施例のフローチャートである。
【００１０】
図４は本発明の第１の実施例のＭＩＢオブジェクトである。
【００１１】
以下図２にしたがって本発明について詳細に説明する。
【００１２】
コンピュータからネットワークデバイスに、ＳＮＭＰプロトコルで、プライベートＭＩＢオブジェクトＣａｎｏｎＦｉｒｍｗａｒｅＶｅｒｓｉｏｎに１．０をＳｅｔする（Ｓ２０１）。これによって、標準ＭＩＢオブジェクトの値はファームウエアバージョン１．０に変化する。コンピュータからネットワークデバイスに、ＳＮＭＰプロトコルで、標準ＭＩＢオブジェクトの値をＧｅｔする（Ｓ２０２）。Ｇｅｔした値、ＳｙｓＤｅｓｃｒ＝ＬＢＰ９９０００  Ｖｅｒ１．０・・・・・ＨｒＤｉｓｋＳｔｏｒａｇｅＣａｐａｃｉｔｙ＝１０Ｇｂｙｔｅをコンピュータに表示する（Ｓ２０３）。
【００１３】
コンピュータからネットワークデバイスに、ＳＮＭＰプロトコルで、プライベートＭＩＢオブジェクトＣａｎｏｎＦｉｒｍｗａｒｅＶｅｒｓｉｏｎに１．５をＳｅｔする（Ｓ２０４）。これによって、標準ＭＩＢオブジェクトの値はファームウエアバージョン１．５に変化する。コンピュータからネットワークデバイスに、ＳＮＭＰプロトコルで、標準ＭＩＢオブジェクトの値をＧｅｔする（Ｓ２０５）。Ｇｅｔした値、ＳｙｓＤｅｓｃｒ＝ＬＢＰ９９０００  Ｖｅｒ１．５・・・・・ＨｒＤｉｓｋＳｔｏｒａｇｅＣａｐａｃｉｔｙ＝１８Ｇｂｙｔｅをコンピュータに表示する（Ｓ２０６）手段を有するすることを特徴とするネットワークデバイス制御システム。
【００１４】
（第２の実施例）
第１の実施例では、ＳＮＭＰプロトコルで、プライベートＭＩＢオブジェクトＣａｎｏｎＦｉｒｍｗａｒｅＶｅｒｓｉｏｎの値を変更することにより、標準ＭＩＢオブジェクトの値を変化させていたが、独自プロトコルで、データＦｉｒｍｗａｒｅＶｅｒｓｉｏｎの値を変更することにより、標準ＭＩＢオブジェクトの値を変化させるようにしてもよい。図３のフローチャート及び、図５のＭＩＢオブジェクトとデータ参照。
【００１５】
（第３の実施例）
第１の実施例では、ＳＮＭＰプロトコルで、プライベートＭＩＢオブジェクトＣａｎｏｎＦｉｒｍｗａｒｅＶｅｒｓｉｏｎの値を変更することにより、標準ＭＩＢオブジェクトの値を変化させていたが、標準ＭＩＢオブジェクトの値の替わりに、プライベートＭＩＢオブジェクトの値を変化させるようにしてもよい。図６のＭＩＢオブジェクト参照。
【００１６】
（第４の実施例）
第２の実施例では、独自プロトコルで、データＦｉｒｍｗａｒｅＶｅｒｓｉｏｎの値を変更することにより、標準ＭＩＢオブジェクトの値を変化させていたが、標準ＭＩＢオブジェクトの値の替わりに、プライベートＭＩＢオブジェクトの値を変化させるようにしてもよい。図７のＭＩＢオブジェクトとデータ参照。
【００１７】
（第５の実施例）
第１〜４の実施例では、ファームウエアバージョンの値を変更することにより、ＭＩＢオブジェクトの値を変化させていたが、ファームウエアバージョンの替わりに、特定ユーザ名を変更することにより、特定ユーザに対応した値に、ＭＩＢオブジェクトの値を変化させるようにしてもよい。
【００１８】
【発明の効果】
以上説明したように本発明によれば、製品のバージョンが多数になっても、ファームウエアバージョンがひとつですむため、管理工数が非常に少なくなるという効果が得られる。
【図面の簡単な説明】
【図１】本発明の第１の実施例を示すブロック図。
【図２】本発明の第１の実施例のフローチャート。
【図３】本発明の第２の実施例のフローチャート。
【図４】発明の第１の実施例のＭＩＢオブジェクト。
【図５】発明の第２の実施例のＭＩＢオブジェクトとデータ。
【図６】発明の第３の実施例のＭＩＢオブジェクト。
【図７】発明の第４の実施例のＭＩＢオブジェクトとデータ。
【符号の説明】
１０１  コンピュータ
１０２  コンピュータの表示部
１０３  コンピュータの制御をおこなうＣＰＵ
１０４  コンピュータの制御プログラム、データを格納する記憶装置
１０５  コンピュータの通信インタフェース部
１０６  コンピュータ−プリンタ間のネットワーク
１０７  ネットワークデバイス
１０８  ネットワークデバイスの操作パネル部
１０９  ネットワークデバイスの制御をおこなうＣＰＵ
１１０  ネットワークデバイスの制御プログラム、データを格納する記憶装置
１１１  ネットワークデバイスの通信インタフェース部
【図１】
2005004327.tif 000003
【図２】
2005004327.tif 000004
【図３】
2005004327.tif 000005
【図４】
2005004327.tif 000006
【図５】
2005004327.tif 000007
【図６】
2005004327.tif 000008
【図７】
2005004327.tif 000009